(57)【要約】【課題】  洗濯仕上げされたカーテン類に寸法の縮みがなく、カーテン類の洗濯仕上げ加工を短時間で行うことができるようにする。【解決手段】  洗濯されたカーテン類を固定する固定部２と、その洗濯されたカーテン類を乾燥する乾燥室３と、その固定部２を乾燥室３に搬入またはその乾燥室３から搬出する搬送部４とを備え、固定部２は、洗濯されたカーテン類の上部をクランプして保持する第１の保持部２２と洗濯されたカーテン類の下部（裾部）をクランプして保持する第２の保持部２４とを備え、第１の保持部２２と第２の保持部２４に一定のテンション（張力）を与えて洗濯されたカーテン類の寸法が洗濯前の寸法に復帰できるようにカーテン類を固定する。【選択図】      図１
2006204370.tif 000002
【特許請求の範囲】
【請求項１】
洗濯されたカーテン類を固定する固定部と、
その洗濯されたカーテン類を乾燥する乾燥室と、
前記固定部を前記乾燥室に搬入またはその乾燥室から搬出する搬送部と、
を備えたカーテン類洗濯加工装置であって、
前記固定部は、前記洗濯されたカーテン類の上部をクランプして保持する第１の保持部と前記洗濯されたカーテン類の下部（裾部）をクランプして保持する第２の保持部とを備え、
前記第１の保持部と前記第２の保持部に一定のテンション（張力）を与えて洗濯されたカーテン類の寸法が洗濯前の寸法に復帰できるようにカーテン類を固定していることを特徴とするカーテン類洗濯加工装置。
【請求項２】
前記固定部は、洗濯されたカーテン類の寸法が洗濯前の寸法に復帰できるように調整できる調整部を備えていることを特徴とする請求項１に記載のカーテン類洗濯加工装置。
【請求項３】
前記調整部は、洗濯されたカーテン類の寸法が洗濯前の寸法に復帰できるように調整できるストッパを備えていることを特徴とする請求項２に記載のカーテン類洗濯加工装置。
【請求項４】
洗濯されたカーテン類を固定する固定部と、
その洗濯されたカーテン類を乾燥する乾燥室と、
を備えたカーテン類洗濯加工装置であって、
前記固定部は、その固定部の本体をなす基盤部と、その基盤部に互いに対向して垂設された一対の吊し台と、その吊し台に吊り下げられ前記洗濯されたカーテン類の上部をクランプして保持する第１のクランプ枠部と前記洗濯されたカーテン類の下部（裾部）をクランプして保持する第２のクランプ枠部とを備え、
前記第１のクランプ枠部と前記第２のクランプ枠部との間に一定のテンション（張力）を与えて洗濯されたカーテン類の寸法が洗濯前の寸法に復帰できるようにカーテン類を固定していることを特徴とするカーテン類洗濯加工装置。
【請求項５】
前記固定部は、洗濯されたカーテン類の寸法が洗濯前の寸法に復帰できるように調整できる調整部を備えていることを特徴とする請求項４に記載のカーテン類洗濯加工装置。
【請求項６】
前記調整部は、洗濯されたカーテン類の寸法が洗濯前の寸法に復帰できるように調整できるストッパを備えていることを特徴とする請求項５に記載のカーテン類洗濯加工装置。
【請求項７】
前記調整部は、洗濯されたカーテン類の寸法が洗濯前の寸法に復帰できるように調整できるハンドルを備えていることを特徴とする請求項５に記載のカーテン類洗濯加工装置。
【発明の詳細な説明】
【技術分野】
【０００１】
本発明は、カーテン類の洗濯仕上げ装置に係り、特に洗濯仕上げされたカーテン類に寸法の縮みがなく、カーテン類の洗濯仕上げ加工を短時間で行うことのできるカーテン類の洗濯仕上げ装置に関する。
【背景技術】
【０００２】
一般的に高級感のある綿混紡品等を素材とするカーテン類の洗濯仕上げは、家庭内で行うことが難しいため、専門技術のあるクリーニング屋に依頼して行われている。カーテン類の洗濯仕上げを依頼されたクリーニング屋では、この綿混紡品等を素材とするカーテン類は洗濯されると必ずカーテン類の寸法に縮みが生じるため、カーテン類の生地を伸ばす処理をしている。すなわち、クリーニング屋では、カーテン類の洗濯仕上げ加工として寸法が縮んだカーテン類の生地を伸ばすために、カーテン類を洗濯して乾燥した後に必ずカーテン類に蒸気をあててアイロン掛けをしている。
【０００３】
しかし、このようなカーテン類の洗濯仕上げ加工は、勘に頼ってカーテン類の生地を伸ばす作業のため、作業する人の技能差により若干の縮みがカーテン類に残る傾向がある。また、このカーテン類にアイロン掛けをするためには、広い作業スペースと多くの労力と時間が必要とされている。
【０００４】
そこで、カーテンの縮みを防止することができるように、カーテンを気泡と洗剤の入った湯による洗浄し、洗濯されたカーテンを乾燥する段階でそのカーテンの四方を引っ張るシステムが提案されている（特許文献１参照）。
【特許文献１】特開２００３−１０３１００号公報（第２頁  第３図）
【発明の開示】
【発明が解決しようとする課題】
【０００５】
しかし、この特許文献１の図３に図示の従来のカーテン乾燥システムにおいては、洗濯前のカーテンの長さに合わせて洗濯されたカーテン（１４）にテンション（張力）を掛けていないので、洗濯されたカーテン（１４）は洗濯前のカーテンの長さに戻らない場合がある。また、特許文献１のカーテン乾燥システムでは、洗濯されたカーテン（１４）の四方にテンションを掛けるため、このテンションの調整に多くの手間と技能が必要とされる。さらに、このカーテン乾燥システムでは、洗濯されたカーテン（１４）は自然乾燥されていたので、このカーテン（１４）を乾燥するために多くの時間とスペースが必要とされる。  
本発明の目的は、洗濯仕上げされたカーテン類に寸法の縮みがなく、カーテン類の洗濯仕上げ加工を短時間で行うことのできるカーテン類の洗濯仕上げ装置を提供することにある。
【課題を解決するための手段】
【０００６】
請求項１に記載の本発明に係るカーテン類洗濯加工装置は、洗濯されたカーテン類を固定する固定部と、その洗濯されたカーテン類を乾燥する乾燥室と、前記固定部を前記乾燥室に搬入またはその乾燥室から搬出する搬送部と、を備えたカーテン類洗濯加工装置であって、前記固定部は、前記洗濯されたカーテン類の上部をクランプして保持する第１の保持部と前記洗濯されたカーテン類の下部（裾部）をクランプして保持する第２の保持部とを備え、前記第１の保持部と前記第２の保持部に一定のテンション（張力）を与えて洗濯されたカーテン類の寸法が洗濯前の寸法に復帰できるようにカーテン類を固定していることを特徴としたものである。
【０００７】
請求項２に記載の本発明に係るカーテン類洗濯加工装置は、前記固定部には、洗濯されたカーテン類の寸法が洗濯前の寸法に復帰できるように調整できる調整部を備えていることを特徴としたものである。  
請求項３に記載の本発明に係るカーテン類洗濯加工装置は、前記調整部には、洗濯されたカーテン類の寸法が洗濯前の寸法に復帰できるように調整できるストッパを備えていることを特徴としたものである。
【０００８】
請求項４に記載の本発明に係るカーテン類洗濯加工装置は、洗濯されたカーテン類を固定する固定部と、その洗濯されたカーテン類を乾燥する乾燥室と、を備えたカーテン類洗濯加工装置であって、前記固定部は、その固定部の本体をなす基盤部と、その基盤部に互いに対向して垂設された一対の吊し台と、その吊し台に吊り下げられ前記洗濯されたカーテン類の上部をクランプして保持する第１のクランプ枠部と前記洗濯されたカーテン類の下部（裾部）をクランプして保持する第２のクランプ枠部とを備え、前記第１のクランプ枠部と前記第２のクランプ枠部との間に一定のテンション（張力）を与えて洗濯されたカーテン類の寸法が洗濯前の寸法に復帰できるようにカーテン類を固定していることを特徴としたものである。
【０００９】
請求項５に記載の本発明に係るカーテン類洗濯加工装置は、前記固定部には、洗濯されたカーテン類の寸法が洗濯前の寸法に復帰できるように調整できる調整部を備えていることを特徴としたものである。  
請求項６に記載の本発明に係るカーテン類洗濯加工装置は、前記調整部には、洗濯されたカーテン類の寸法が洗濯前の寸法に復帰できるように調整できるストッパを備えていることを特徴としたものである。  
請求項７に記載の本発明に係るカーテン類洗濯加工装置は、前記調整部には、洗濯されたカーテン類の寸法が洗濯前の寸法に復帰できるように調整できるハンドルを備えていることを特徴としたものである。
【発明の効果】
【００１０】
請求項１に記載の発明によれば、洗濯仕上げされたカーテン類に寸法の縮みがなく、カーテン類の洗濯仕上げ加工を短時間で行うことことができる。  
請求項２に記載の発明によれば、洗濯仕上げされたカーテン類に寸法の縮みがなく、カーテン類の洗濯仕上げ加工を短時間で行うことことができる。また、本発明によれば、洗濯されたカーテン類の寸法が洗濯前の寸法に復帰することができる。
【００１１】
さらに、請求項３に記載の発明によれば、洗濯仕上げされたカーテン類に寸法の縮みがなく、カーテン類の洗濯仕上げ加工を短時間で行うことことができる。また、本発明によれば、手間をかけることなく洗濯されたカーテン類の寸法が洗濯前の寸法に復帰することができる。  
請求項４に記載の発明によれば、洗濯仕上げされたカーテン類に寸法の縮みがなく、カーテン類の洗濯仕上げ加工を短時間で行うことことができる。また、本発明によれば、装置全体をコンパクトにすることができる。
【００１２】
請求項５に記載の発明によれば、洗濯仕上げされたカーテン類に寸法の縮みがなく、カーテン類の洗濯仕上げ加工を短時間で行うことことができる。また、本発明によれば、装置全体がコンパクトになり、洗濯されたカーテン類の寸法が洗濯前の寸法に復帰することができる。  
さらに、請求項６に記載の発明によれば、洗濯仕上げされたカーテン類に寸法の縮みがなく、カーテン類の洗濯仕上げ加工を短時間で行うことことができる。また、本発明によれば、装置全体がコンパクトになり、手間をかけることなく洗濯されたカーテン類の寸法が洗濯前の寸法に復帰することができる。  
また、請求項７に記載の発明によれば、洗濯仕上げされたカーテン類に寸法の縮みがなく、カーテン類の洗濯仕上げ加工を短時間で行うことことができる。また、本発明によれば、装置全体がコンパクトになり、手間をかけることなく洗濯されたカーテン類の寸法が洗濯前の寸法に復帰することができる。
【発明を実施するための最良の形態】
【００１３】
本発明は、洗濯されたカーテン類を固定する固定部と、その洗濯されたカーテン類を乾燥する乾燥室と、その固定部を乾燥室に搬入またはその乾燥室から搬出する搬送部とを備え、この固定部は、洗濯されたカーテン類の上部をクランプして保持する第１の保持部と洗濯されたカーテン類の下部（裾部）をクランプして保持する第２の保持部とを備え、この第１の保持部と第２の保持部に一定のテンション（張力）を与えて洗濯されたカーテン類の寸法が洗濯前の寸法に復帰できるように洗濯されたカーテン類を固定することにより実現する。
【実施例１】
【００１４】
以下、本発明の実施例１に係るカーテン類洗濯加工装置について、図１〜図３に基づいて詳しく説明する。  
図１には、本発明の実施例１に係るカーテン類洗濯加工装置の斜視図が示されている。図２には、本発明の実施例１に係るカーテン類洗濯加工装置の固定部の構成が示されており、この固定部に洗濯されたカーテン類が固定されていない状態の斜視図が示されている。図３には、本発明の実施例１に係るカーテン類洗濯加工装置の固定部の構成が示されており、この固定部に洗濯されたカーテン類が固定されている状態の斜視図が示されている。
【００１５】
この図１において、１はカーテン類洗濯加工装置を示しており、このカーテン類洗濯加工装置１は、固定部２と乾燥室３と搬送部４とから構成されている。  
固定部２は、洗濯されたカーテン類の寸法の縮みを防止するために、洗濯されたカーテン類の上部と下部（裾部）との間に一定のテンション（張力）を与えてカーテン類を固定する装置である。この固定部２の具体的な構成が図２及び図３に示されている。この図２及び図３において、固定部２には、この固定部２の本体をなす基盤部２１と、洗濯されたカーテン類２７の上部をクランプして保持する第１の保持部２２と、洗濯されたカーテン類２７の下部（裾部）をクランプして保持する第２の保持部２３と、洗濯されたカーテン類２７の寸法が洗濯前の寸法に復帰できるように調整できるストッパ２６とが備えられている。
【００１６】
基盤部２１には、洗濯されたカーテン類２７の上部がクランプされた第１の保持部２２と洗濯されたカーテン類２７の下部（裾部）がクランプされた第２の保持部２４とを対向して敷設できる板状の構造のものが用いられている。この基盤部２１は、図２に図示されているように、洗濯されたカーテン類２７の乾燥をスムーズに行うために、部分的に空間を有している構造であってもよい。  
基盤部２１に敷設された第１の保持部２２には、洗濯されたカーテン類２７の上部をクランプするために、たとえばカーテン類２７の上部をゴムパッキン（図示しない）を介して挟んだ状態で取り付けられる構造のものが用いられる。そして、第１の保持部２２には、挟まれたカーテン類２７の上部をしっかりとクランプするために第１の保持部２２の両端部に締めつけ具が設けられているとよい。本実施例においては、この締めつけ具としてボルト２３，２３が用いられている。なお、第１の保持部２２は、必ずしも基盤部２１の所定の位置に常に固定されている必要はなく、洗濯されたカーテン類２７の寸法に応じて基盤部２１上の都合のよい位置に移動できるものであってもよい。
【００１７】
また、この第１の保持部２２は、洗濯されたカーテン類２７の縮みを防止するために、第２の保持部２４との間で一定のテンション（張力）を洗濯されたカーテン類２７に与えている。この第２の保持部２４には、基盤部２１上に洗濯されたカーテン類２７の下部（裾部分）をクランプするために、たとえばカーテン類２７の下部をゴムパッキン（図示しない）を介して挟んだ状態で取り付けられる構造のものが用いられる。そして、第２の保持部２４には、挟まれたカーテン類の上部をしっかりとクランプするために両端部に締めつけ具が設けられているとよい。本実施例においては、この締めつけ具としてボルト２５，２５が用いられている。ここで、第２の保持部２４は、洗濯されたカーテン類２７に一定のテンション（張力）を与えるため、人力又は機械により引っ張られ、カーテン類に一定のテンションが架った状態で基盤部２１上に敷設される。
【００１８】
この基盤部２１上に敷設される第２の保持部はストッパ２６によって位置決めされる。ストッパ２６は、洗濯されたカーテン類２７に一定のテンションを与えて、このカーテン類２７の寸法が洗濯前に予め採寸された寸法に復帰できるようにカーテン類の寸法を調整するために用いられる。このストッパ２６は、ピン又はボルトのようなものから構成され、たとえば基盤部２１上に予め設けられた孔又は溝（図示しない）に着脱自在に挿入されて基盤部２１上に敷設される。この基盤部２１上に予め設けられた孔又は溝は、第１の保持部を基盤部２１上に固定し、第１の保持部からカーテン類の寸法に対応した位置に設けるようにしてもよい。これは、カーテン類の寸法を手間をかけずに容易に調整することができるので好ましいからである。
【００１９】
乾燥室３は、固定部２において一定のテンション（張力）で固定されたカーテン類２７を乾燥する装置である。乾燥室３は、左右に開口部のある箱形の装置であり、この装置の内部には、洗濯されたカーテン類２７の乾燥を効率よく行うために、多数の温風噴出し口（図示しない）と排出口（図示しない）が備えられている。この温風噴出し口は、たとえば固定部２を上下挟むように配置されたり、固定部２を左右挟むように配置されたりすることができる。なお、乾燥室３は、必ずしも固定型の装置である必要はなく、移動可能な簡易型の装置であってもよい。また、洗濯されたカーテン類２７の乾燥には、搬送された固定台２を乾燥室３に一定時間留め置いて行う方法や、固定台２が乾燥室３を通過する時間をコントロールして行う方法などが用いられる。
【００２０】
搬送部４は、洗濯されたカーテン類２７を乾燥するために固定部２を乾燥室３に搬入し、このカーテン類２７が乾燥された後に固定部２を乾燥室３から搬出する装置である。搬送部４には、固定部２を載せる搬送台４０が備えられており、この搬送台４０には、カーテン類の乾燥を効率よく行うために、メッシュ状のものを用いるのが好ましい。また、搬送部４には、図１に図示されているように、固定部２を乾燥室３へ搬送する方式として、ベルトコンベア式のものが用いられている。また、本発明の実施例に係るカーテン類洗濯加工装置１の他の実施例として、固定部２を乾燥室３へ搬送する方式には、搬送台４０を左右にスライドするスライド式の例が図４に示されている。
【００２１】
このようにして得られたカーテン類洗濯加工装置をカーテン類の洗濯仕上げに用いることにより、洗濯仕上げされたカーテン類に寸法の縮みがなく、カーテン類の洗濯仕上げ加工を短時間で行うことができる。
【実施例２】
【００２２】
以下、本発明の実施例２に係るカーテン類洗濯加工装置について、図５〜図６に基づいて詳しく説明する。  
図５には、本発明の実施例２に係るカーテン類洗濯加工装置の斜視図が示されている。図６には、本発明の実施例２に係るカーテン類洗濯加工装置の固定部の構成が示されている。  
この図５において、１００はカーテン類洗濯加工装置を示しており、このカーテン類洗濯加工装置１００は、固定部１１０と乾燥室１２０とから構成されている。
【００２３】
固定部１１０は、洗濯されたカーテン類の寸法の縮みを防止するために、洗濯されたカーテン類の上部と下部（裾部）との間に一定のテンション（張力）を与えてカーテン類を固定する装置である。この固定部１１０の具体的な構成が図６に示されている。この図６において、固定部１１０には、この固定部１１０の本体をなす基盤部１１１と、洗濯されたカーテン類１１２の上部をクランプして保持する第１のクランプ枠部１１３と、洗濯されたカーテン類１１２の下部（裾部）をクランプして保持する第２のクランプ枠部１１４と、洗濯されたカーテン類１１２の寸法を洗濯前に予め採寸された寸法に復帰できるようにするための調整部１１５とが備えられている。基盤部１１１には、洗濯されたカーテン類１１２がクランプされた第１のクランプ枠部１１３と第２のクランプ枠部１１４とを吊り下げることができる枠保持部１１７を有した一対の吊し台１１６，１１６が互いに対向して垂設されている。また、基盤部１１１には、移動用のキャスタ１１７が備えられ、このキャスタによって固定台１１０に固定されたカーテン類１１２を乾燥室１２０へそのまま搬送することができる。
【００２４】
この吊し台１１６，１１６に吊り下げられた第１のクランプ枠部１１３には、洗濯されたカーテン類１１２の上部をクランプするために、たとえばカーテン類の上部をゴムパッキン（図示しない）を介して挟んだ状態で取り付けられる構造のものが用いられる。そして、第１のクランプ枠部１１３には、挟まれたカーテン類の上部をしっかりとクランプするために両端部にボルトなどの締めつけ具（図示しない）が設けられていてもよい。この第１のクランプ枠部１１３は、枠保持部１１７を介して一対の吊し台１１６，１１６に着脱自在に設けられている。
【００２５】
また、第１のクランプ枠部１１３は、洗濯されたカーテン類１１２の縮みを防止するために、第２のクランプ枠部１１４との間で一定のテンション（張力）を洗濯されたカーテン類１１２に与えている。この第２のクランプ枠部１１４には、洗濯されたカーテン類１１２の下部（裾部分）をクランプするために、たとえばカーテン類の下部をゴムパッキン（図示しない）を介して挟んだ状態で取り付けられる構造のものが用いられる。そして、第２のクランプ枠部１１４には、挟まれたカーテン類の上部をしっかりとクランプするために両端部にボルトなどの締めつけ具（図示しない）が設けられていてもよい。この第２のクランプ枠部１１４は、洗濯されたカーテン類１１２に一定のテンション（張力）を与え、洗濯されたカーテン類１１２の寸法を洗濯前に予め採寸された寸法に復帰できるようにするため、調整部１１５を介して人力又は機械により引っ張られる。
【００２６】
調整部１１５は、ピン又はボルトのようなものから構成されたストッパ（図示しない）又は図６に図示されているハンドルによって第２のクランプ枠部１１４の引っ張られた長さを調整するために吊し台１１６，１１６に設けられている。調整部１１５にストッパが用いられた場合には、吊し台１１６，１１６に予め設けられた孔又は溝（図示しない）にストッパが着脱自在に挿入されて第２のクランプ枠部１１４の引っ張られた長さが手間をかけずに調整される。また、調整部１１５にハンドルが用いられた場合には、吊し台１１６，１１６に第２のクランプ枠部１１４を上下に駆動できる駆動部（図示しない）を設け、ハンドルを回してこの駆動部を駆動して第２のクランプ枠部１１４の引っ張られた長さが手間をかけずに調整される。なお、この駆動部には、ラックピニオン方式又はチェーン駆動方式等の公知の駆動方式のものが用いられる。
【００２７】
乾燥室１２０は、固定部１１０において一定のテンション（張力）で固定されたカーテン類１１２を乾燥する装置である。乾燥室１２０は、左右に開口部のある箱形の装置であり、この装置の内部には、洗濯されたカーテン類の乾燥を効率よく行うために、多数の温風噴出し口（図示しない）と排出口（図示しない）が備えられている。この温風噴出し口は、たとえば固定部１１０を上下挟むように配置されたり、固定部１１０を左右挟むように配置されたりすることができる。なお、乾燥室１２０は、必ずしも固定型の装置である必要はなく、移動可能な簡易型の装置であってもよい。また、洗濯されたカーテン類の乾燥には、搬送された固定台１１０を乾燥室１２０に一定時間留め置いて行う方法や、固定台１１０が乾燥室１２０を通過する時間をコントロールして行う方法などが用いられる。
【００２８】
このようにして得られたカーテン類洗濯加工装置をカーテン類の洗濯仕上げに用いることにより、洗濯仕上げされたカーテン類に寸法の縮みがなく、カーテン類の洗濯仕上げ加工を短時間で行うことことができる。また、このようにして得られたカーテン類洗濯加工装置は、固定台に固定されたカーテン類を乾燥室へそのまま搬送することができるため、装置全体をコンパクトにすることができる。
【図面の簡単な説明】
【００２９】
【図１】本発明の実施例１に係るカーテン類洗濯加工装置の構成を示す斜視図。
【図２】本発明の実施例１に係るカーテン類洗濯加工装置の固定部の構成を示す斜視図であり、この固定部に洗濯されたカーテン類が固定されていない状態を示す図。
【図３】本発明の実施例１に係るカーテン類洗濯加工装置の固定部の構成を示す斜視図であり、この固定部に洗濯されたカーテン類が固定されている状態を示す図。
【図４】本発明の実施例１に係るカーテン類洗濯加工装置の搬送部にスライド式のものを用いた場合のカーテン類洗濯加工装置の構成を示す斜視図。
【図５】本発明の実施例２に係るカーテン類洗濯加工装置の構成を示す斜視図。
【図６】本発明の実施例２に係るカーテン類洗濯加工装置の固定部の構成を示す斜視図。
【符号の説明】
【００３０】
１…………本発明の実施例１に係るカーテン類洗濯加工装置
２…………本発明の実施例１に係るカーテン類洗濯加工装置の固定部
３…………本発明の実施例１に係るカーテン類洗濯加工装置の乾燥室
４…………本発明の実施例１に係るカーテン類洗濯加工装置の搬送部
２２………本発明の実施例１に係るカーテン類洗濯加工装置の第１の保持部
２３………本発明の実施例１に係るカーテン類洗濯加工装置の第２の保持部
１００……本発明の実施例２に係るカーテン類洗濯加工装置
１１０……本発明の実施例２に係るカーテン類洗濯加工装置の固定部
１１３……本発明の実施例２に係るカーテン類洗濯加工装置の第１のクランプ枠部
１１４……本発明の実施例２に係るカーテン類洗濯加工装置の第２のクランプ枠部
１２０……本発明の実施例２に係るカーテン類洗濯加工装置の乾燥室
【図１】
2006204370.tif 000003
【図２】
2006204370.tif 000004
【図３】
2006204370.tif 000005
【図４】
2006204370.tif 000006
【図５】
2006204370.tif 000007
【図６】
2006204370.tif 000008